(57)【要約】      （修正有）【課題】化粧用ツール又は生活用品の洗浄及び消毒処理を行う消毒ボックスを提供する。【解決手段】ベースユニットと、ベースユニットに接続され、且つベースユニットと囲んで第一チャンバ１０４を形成した殻体ユニット１０と、第一チャンバ１０４内に接続され、且つ複数の化粧用ツールが接続される支持ユニット４０と、を備え、ベースユニット内に第二チャンバ２０１１が設けられる消毒ボックスであって、第一チャンバ１０４及び第二チャンバ２０１１内の空気を循環させるように駆動する循環ユニットと、化粧用ツールを消毒するための消毒ユニットと、をさらに備え、循環ユニットは、第二チャンバと合わせた第一換気ユニット７０と、第一チャンバ１０４と合わせた第二換気ユニット８０と、を備え、また、第二チャンバ２０１１内に第一換気ユニット７０と合わせた加熱ユニットが接続されている。【選択図】図３
0003212500.tif 000002
【実用新案登録請求の範囲】
【請求項１】
ベースユニットと、
前記ベースユニットに接続され、且つ前記ベースユニットと囲んで第一チャンバを形成した殻体ユニットと、
前記第一チャンバ内に接続され、且つ複数の化粧用ツールが接続される支持ユニットと、を備え、
前記ベースユニット内に第二チャンバが設けられる消毒ボックスであって、
前記第一チャンバ及び前記第二チャンバ内の空気を循環させるように駆動する循環ユニットと、
前記化粧用ツールを消毒するための消毒ユニットと、をさらに備え、
前記循環ユニットは、前記第二チャンバと合わせた第一換気ユニットと、前記第一チャンバと合わせた第二換気ユニットと、を備え、
前記第二チャンバ内にまた前記第一換気ユニットと合わせた加熱ユニットが接続されている、
ことを特徴とする化粧用ツールの消毒に用いられる消毒ボックス。
【請求項２】
前記殻体ユニットは、
前記ベースユニットに位置決め接続された第一殻体と、
前記第一殻体に対して回転可能で前記第一殻体と合わせて開閉する第二殻体と、を備える、
ことを特徴とする請求項１に記載の消毒ボックス。
【請求項３】
前記第一殻体は、その上端部が内側に湾曲して円弧形状の摺動溝を形成し、
前記第二殻体は、その上端部に、摺動可能に前記摺動溝内に接続されている環状凸台が設けられている、
ことを特徴とする請求項２に記載の消毒ボックス。
【請求項４】
前記支持ユニットは、
下端部が前記ベースユニットに接続された第一管キットと、
上端部が前記殻体ユニットの上端部の内壁に接続された第二管キットと、を備え、
前記第一管キットと前記第二管キットとの間に、また前記第一管キットに回転可能に接続されている第三管キットが接続されている、
ことを特徴とする請求項１に記載の消毒ボックス。
【請求項５】
前記第三管キットに複数の位置決め溝が設けられており、
複数の前記位置決め溝は環状を呈して間隔的に配置されており、
前記位置決め溝ごとにいずれも前記化粧用ツールが挟持される挟持部材が位置決め接続されている、
ことを特徴とする請求項４に記載の消毒ボックス。
【請求項６】
前記ベースユニットは環状の支持座と、
前記支持座の底部に接続された第一カバー本体と、
前記支持座の頂部に接続された第二カバー本体と、を備え、
前記第一管キットは下端部が前記第二カバー本体に接続され、
前記消毒ユニットは前記第二カバー本体に接続され、
前記加熱ユニットは前記第一カバー本体と前記第二カバー本体との間に接続されている、
ことを特徴とする請求項４に記載の消毒ボックス。
【請求項７】
前記消毒ユニットは、
前記第二カバー本体に接続された紫外線ランプと、
前記紫外線ランプをカバーして設けられたランプシェードと、
前記紫外線ランプに電気的に接続された第一ＰＣＢ基板と、を備える、
ことを特徴とする請求項６に記載の消毒ボックス。
【請求項８】
前記支持座の上端面にまた第三カバー本体が接続されており、
前記第三カバー本体に複数の接続支持枠が設けられており、
前記加熱ユニットは前記接続支持枠に接続された複数の発熱体と、前記発熱体に電気的に接続された第二ＰＣＢ基板と、を備える、
ことを特徴とする請求項７に記載の消毒ボックス。
【請求項９】
前記第一換気ユニットは、
前記第三カバー本体の底部に接続された第一換気ファンと、
前記第一カバー本体に開設された第一通風孔と、
前記第二カバー本体に開設された第二通風孔と、
前記第三カバー本体に開設された第三通風孔と、を備え、
前記第三通風孔は、前記第三カバー本体の中央部に位置して、且つ前記第一換気ファンに対向する、
ことを特徴とする請求項８に記載の消毒ボックス。
【請求項１０】
前記第二換気ユニットは、
前記第二管キットの上端部に接続された第二換気ファンと、
前記第二管キットの管壁に開設された第四通風孔と、
前記殻体ユニットの上部に接続された通風管と、を備える、
ことを特徴とする請求項４〜９のいずれか１項に記載の消毒ボックス。
【考案の詳細な説明】
【技術分野】
【０００１】
本考案は家庭日用品の技術分野に属し、特に消毒ボックスに関する。
【背景技術】
【０００２】
現在、家庭及び美容業界において、いくつかの美容化粧用ツール又はブラシ類等の生活用品について、それらが毎日使用され、且つ使用タイプの特殊性を持つため、洗浄及び消毒処理をよく行う必要がある。
【０００３】
従来の処理方式は、洗浄後に太陽光の照射又は乾燥装置によって乾燥処理を行うことであり、指向性処理を行う特定な消毒設備がなく、また洗浄及び消毒後に特定な容器を用いて収納する必要がある同時に、化粧用ツール又は特定な生活ツールの使用タイプが異なるので、別々に収納する必要がある。こうして、複数の収納容器が必要になり、収納容器が多すぎるので、使用の際に気軽に取り出しにくいという問題を引き起こしてしまう。
【考案の概要】
【考案が解決しようとする課題】
【０００４】
本考案は消毒ボックスを提供することを目的として、従来技術において化粧用ツール又は生活用品にとって特定な消毒設備がなく、且つ化粧用ツール又は生活用品を収納しにくいという問題を解決することを目的とする。
【課題を解決するための手段】
【０００５】
本考案は以下の手段で上記問題を解決する。
ベースユニットと、
前記ベースユニットに接続され、且つ前記ベースユニットと囲んで第一チャンバを形成する殻体ユニットと、
前記第一チャンバ内に接続され、且つ複数の化粧用ツールが接続される支持ユニットと、を備え、
前記ベースユニット内に第二チャンバが設けられる消毒ボックスであって、
前記第一チャンバ及び前記第二チャンバ内の空気を循環させるように駆動する循環ユニットと、
前記化粧用ツールを消毒するための消毒ユニットと、をさらに備え、
前記循環ユニットは、前記第二チャンバと合わせた第一換気ユニットと、前記第一チャンバと合わせた第二換気ユニットと、を備え、
前記第二チャンバ内にまた前記第一換気ユニットと合わせた加熱ユニットが接続されている、化粧用ツールの消毒に用いられる消毒ボックス。
【０００６】
さらに、前記殻体ユニットは、
前記ベースユニットに位置決め接続された第一殻体と、
前記第一殻体に対して回転可能で前記第一殻体と合わせて開閉する第二殻体と、を備える。
【０００７】
さらに、前記第一殻体は、その上端部が内側に湾曲して円弧形状の摺動溝を形成し、
前記第二殻体は、その上端部に、前記摺動溝内に摺動可能に接続されている環状凸台が設けられている。
【０００８】
さらに、前記支持ユニットは、
下端部が前記ベースユニットに接続された第一管キットと、
上端部が前記殻体ユニットの上端部の内壁に接続された第二管キットと、を備え、
前記第一管キットと前記第二管キットとの間に、また前記第一管キットに回転可能に接続されている第三管キットが接続されている。
【０００９】
さらに、前記第三管キットに複数の位置決め溝が設けられ、
複数の前記位置決め溝は環状を呈して間隔的に配置され、
前記位置決め溝ごとにいずれも前記化粧用ツールが挟持される挟持部材が位置決め接続されている。
【００１０】
さらに、前記ベースユニットは、
環状の支持座と、
前記支持座の底部に接続された第一カバー本体と、
前記支持座の頂部に接続された第二カバー本体と、を備え、
前記第一管キットは下端部が前記第二カバー本体に接続され、
前記消毒ユニットは前記第二カバー本体に接続され、
前記加熱ユニットは前記第一カバー本体と前記第二カバー本体との間に接続されている。
【００１１】
さらに、前記消毒ユニットは、
前記第二カバー本体に接続された紫外線ランプと、
前記紫外線ランプをカバーして設けられたランプシェードと、
前記紫外線ランプに電気的に接続された第一ＰＣＢ基板と、を備える。
【００１２】
さらに、前記支持座の上端面にまた第三カバー本体が接続され、
前記第三カバー本体に複数の接続支持枠が設けられ、
前記加熱ユニットは前記接続支持枠に接続された複数の発熱体と、前記発熱体に電気的に接続された第二ＰＣＢ基板と、を備える。
【００１３】
さらに、前記第一換気ユニットは、
前記第三カバー本体の底部に接続された第一換気ファンと、
前記第一カバー本体に開設された第一通風孔と、
前記第二カバー本体に開設された第二通風孔と、
前記第三カバー本体に開設された第三通風孔と、を備え、
前記第三通風孔は、前記第三カバー本体の中央部に位置して、且つ前記第一換気ファンに対向する。
【００１４】
さらに、前記第二換気ユニットは、
前記第二管キットの上端部に接続された第二換気ファンと、
前記第二管キットの管壁に開設された第四通風孔と、
前記殻体ユニットの上部に接続された通風管と、を備える。
【考案の効果】
【００１５】
本考案により提供される消毒ボックスは、従来技術に比べて以下の技術的な効果を有する。ベースユニットと殻体ユニットにより囲んで複数の化粧用ツールが収納される第一チャンバを形成する。ベースユニット内に第二チャンバが設置されている。同時に、ベースユニットに設置された循環ユニットは、加熱ユニット、第一換気ユニット及び第二換気ユニットにより第一チャンバと第二チャンバ内の空気を加熱して循環させ、さらに洗浄後の化粧用ツールに乾燥処理を行う。また該第一換気ユニット及び加熱ユニットが第二チャンバと合わせる一方、第二換気ユニットが第一チャンバと合わせる。このようにして、第一換気ユニットより入った空気は、加熱された後に上方の第二換気ユニットより排出され、さらにチャンバ内部の空気の乾燥を保証することを図る。これとともに、消毒ユニットの設置により、同時に化粧用ユニットに消毒処理を持続的に行うことができるため、化粧用ツールの清潔さを保証することを図る。
【図面の簡単な説明】
【００１６】
【図１】本考案の実施形態による消毒ボックスの立体構造図である。
【図２】本考案の実施形態による消毒ボックスの左側面図である。
【図３】本考案の実施形態による消毒ボックスの半断面図である。
【図４】本考案の実施形態による消毒ボックス中の殻体ユニット及びその内部構造の分解図である。
【図５】本考案の実施形態による消毒ボックス中のベースユニット及びその内部構造の分解図である。
【考案を実施するための形態】
【００１７】
本考案の目的、技術的解決手段及び利点をより明らかにするために、以下、図面及び実施形態を結合させて本考案をより詳細に説明する。ここで説明される具体的な実施形態は本考案を解釈するためのものに過ぎず、本考案を限定するためのものではないことを理解すべきである。
【００１８】
ある部品が別の部品に「固定」又は「設置される」と呼ばれる場合、別の部品に直接に位置して又は該別の部品に間接に位置してもよい。ある部品が別の部品に「接続される」と呼ばれる場合、別の部品に直接に接続されて又は該別の部品に間接に接続されてもよいことを説明する必要がある。
【００１９】
また、本考案の実施形態における左、右、上、下等の方位用語は、互いに相対概念であるもの又は製品の正常使用状態を参考とするものに過ぎず、本考案を限定するためのものではないことを理解する必要がある。
【００２０】
図１〜図５に示すように、本考案の実施形態は、化粧用ツールの消毒に用いられる消毒ボックスを提供する。該化粧用ツールは、特にパウダーを塗るブラシ類のツールを指す。該消毒ボックスは、ベースユニット２０と、該ベースユニット２０に接続され、且つ該ベースユニット２０と囲んで第一チャンバ１０４を形成した殻体ユニット１０と、該チャンバ１０４内に接続され、且つ複数の該化粧用ツールが接続される支持ユニット４０と、を備える。該殻体ユニット１０は、全体透明の構造を有するものであることが好ましい。また、該ベースユニット２０内に第二チャンバ２０１１が設けられている。該消毒ボックスは、該第一チャンバ１０４と第二チャンバ２０１１内の空気を循環させるように駆動する循環ユニットと、該化粧用ツールを消毒するための消毒ユニット５０と、をさらに備える。該循環ユニットは、該第二チャンバ２０１１と合わせた第一換気ユニット７０と、前記第一チャンバ１０４と合わせた第二換気ユニット８０と、を備える。前記第二チャンバ２０１１内にまた、前記第一換気ユニット７０と合わせた加熱ユニット６０が接続されている。本実施形態において、該第二チャンバ２０１１内の空気は、加熱ユニット６０により加熱した後、第一換気ユニット７０より第一チャンバ１０４内に吹き込まれて化粧用ツールに対して乾燥を行う。その後、第二換気ユニット８０は、水蒸気を含有した空気を第一チャンバ１０４の内部から第一チャンバ１０４の外部に排出する。
【００２１】
以上の設計による消毒ボックスは、殻体ユニット１０とベースユニット２０とにより囲んで複数の化粧用ツールが収納される第一チャンバ１０４を形成する。ベースユニット２０内に第二チャンバ２０１１が設置されている。同時に、ベースユニット２０に設置された循環ユニットは、加熱ユニット６０、第一換気ユニット７０及び第二換気ユニット８０により第一チャンバ１０４及び第二チャンバ２０１１内の空気を加熱して循環させ、さらに洗浄後の化粧用ツールに乾燥処理を行う。また、該第一換気ユニット７０及び加熱ユニット６０が下方のベースユニット２０に接続されている一方、第二換気ユニット８０が支持ユニット４０の上方に接続されている。このようにして、第一換気ユニット７０より入った空気は、加熱された後に上方の第二換気ユニット８０より排出され、さらにチャンバ１０４内部に乾燥空気を確保する。これとともに、消毒ユニット５０の設置により、同時に化粧用ユニットに消毒処理を持続的に行うことができるため、化粧用ツールの清潔さを保証することを図る。
【００２２】
本考案の実施形態において、図１〜図５に示すように、該殻体ユニット１０は柱状殻体とボウル状構造とを接合してなるものであることが好ましい。該ボウル状構造は倒立式を呈して柱状殻体の上方に位置する。該柱状構造の下方がベースユニット２０に接続されている。該ボウル状構造の端部にまた稼働状態及び稼働時間を表示するＬＣＤ表示装置３０が接続されている。該ＬＣＤ表示装置３０は携帯電話ＡＰＰにより接続されて遠距離制御されることができる。
【００２３】
具体的に、図４に示されるように、本考案の実施形態において、該殻体ユニット１０は、該ベースユニット２０に位置決め接続された第一殻体１０１と、該第一殻体１０１に対して回転可能で該第一殻体１０１と合わせて開閉する第二殻体１０２と、を備える。該第一殻体１０１及び第二殻体１０２はそれぞれ殻体ユニット１０の形状の半分である。また、該第二殻体１０２は、第一殻体１０１と重ね合せるように回転することで殻体ユニット１０を開放する、又は該第一殻体１０１の対向位置に回転することで該殻体ユニット１０を閉鎖することを図る。
【００２４】
具体的に、図４に示されるように、本考案の実施形態において、該第一殻体１０１は、その上端部が内側に湾曲して円弧形状の摺動溝１０１１を形成する。該第二殻体１０２は、その上端部に、該摺動溝１０１１内に摺動可能に接続されている環状凸台１０２１が設けられている。また、該環状凸台１０２１と該摺動溝１０１１との間にまた摺動を補助する複数の軸受部材１０３が設けられている。
【００２５】
本実施形態において、図４に示されるように、該第二殻体１０２は相対的に該第一殻体１０１の下方に位置する。該第一殻体１０１の先端部にまた該ＬＣＤ表示装置３０を支持する円形の支持カバー板３０３が接続されている。該ＬＣＤ表示装置３０は、該支持カバー板３０３の先端部に位置決め接続されたＬＣＤ表示パネル３０１と、該支持カバー板３０３の底部に接続された表示制御部品３０２と、を備える。該表示制御部品３０２は該ＬＣＤ表示パネル３０１に電気的に接続されている。
【００２６】
具体的に、図３及び図４に示されるように、本考案の実施形態において、該支持ユニット４０は、下端部が該ベースユニット２０に接続された第一管キット４０１と、上端部が該殻体ユニット１０の上端部の内壁に接続された第二管キット４０２と、を備える。該第一管キット４０１と該第二管キット４０２との間に、また該第一管キット４０１に回転可能に接続されている第三管キット４０３が接続されている。
【００２７】
本実施形態において、該第二管キット４０２は、その下端部が該第一管キット４０１の上端部内に位置決め接続されている。そして、第三管キット４０３が位置決めされて、且つ該第一管キット４０１に回転可能に接続されている。
【００２８】
本実施形態において、図４に示されるように、該第三管キット４０３の上端部に環状ネックダウン４０３２が設けられている。該環状ネックダウン４０３２の内径が該第二管キット４０２の外径より大きく又は等しく、且つ該第一管キット４０１の外径より小さい。同時に、該第三管キット４０３の下端部の内径は該第一管キット４０１の外径より大きい。このように設計することで、該第三管キット４０３が該第一管キット４０１に回転可能に接続されやすい。また、該第一管キット４０１の表面に外向きに第一嵌接台４０１１が設けられている。該第三管キット４０３の内壁に該第一嵌接台４０１１と合わせる第一嵌接溝（図に示されてない）が凹設されている。該第一嵌接台４０１１が第一嵌接溝内に嵌接されることで、第三管キット４０３が第一管キット４０１に位置決め接続されていることを図る。
【００２９】
具体的に、図４に示されるように、本考案の実施形態において、該第三管キット４０３の外表面に複数の短冊形の位置決め溝４０３１が凹設されている。複数の該位置決め溝４０３１は環状を呈して間隔的に配置されている。また、該位置決め溝４０３１ごとにいずれも該化粧用ツールが挟持される挟持部材４０３３が位置決め接続されている。このように設計することで、複数の化粧用ツールは該挟持部材４０３３により該第三管キット４０３に接続されるとともに、使用者は自分の需要に応じて複数の化粧用ツールを回して必要なものを獲得することができる。
【００３０】
本実施形態において、該挟持部材４０３３は水平設置されている。このようにして、化粧用ツールが垂直方向に該挟持部材４０３３に接続されることができる。また、該挟持部材４０３３としては、直径が異なる化粧用ツールに対応するために、寸法が異なった挟持部材４０３３を予め設置してもよい。
【００３１】
具体的に、図３及び図５に示されるように、本考案の実施形態において、該ベースユニット２０は環状の支持座２０１と、該支持座２０１の底部に接続された第一カバー本体２０２と、該支持座２０１の頂部に接続された第二カバー本体２０３と、を備える。該第一管キット４０１はその下端部が該第二カバー本体２０３に接続されている。該消毒ユニット５０は該第二カバー本体２０３に接続されている。該加熱ユニット６０は第一カバー本体２０２と該第二カバー本体２０３との間に接続されている。該支持座２０１、第一カバー本体２０２及び第二カバー本体２０３にとり囲まれた内部に該第二チャンバ２０１１が形成される。
【００３２】
本実施形態において、図３及び図５に示されるように、該第一殻体１０１及び第二殻体１０２はいずれも下端部が該支持座２０１の上端面に接続されている。該第二カバー本体２０３は該チャンバ１０４の底部に位置する。また、該第二カバー本体２０３の先端部は、該第一管キット４０１に接続された接続部材２０３３が設けられている。該接続部材２０３３の外壁に第二嵌接台２０３３１が凸設されている。また、該第一管キット４０１の底端部の内壁に第二嵌接溝（図に示されてない）が凹設されている。該第二嵌接台２０３３１が該第二嵌接溝内に嵌接されることで、第一管キット４０１と第二カバー本体２０３との接続が形成される。
【００３３】
本実施形態において、図３及び図５に示されるように、該第一カバー本体２０２の底部には、消毒ボックスの摺動を防止する摺動防止パッド２０５が接続されている。
【００３４】
具体的に、図３及び図５に示されるように、本考案の実施形態において、該第二カバー本体２０３の上表面にまた環状の収納溝２０３１が凹設されている。該消毒ユニット５０は、該収納溝２０３１内に接続された紫外線ランプ５０１と、該紫外線ランプ５０１をカバーして設けられたランプシェード５０２と、該紫外線ランプ５０１に電気的に接続された第一ＰＣＢ基板５０４と、を備える。
【００３５】
本実施形態において、図３及び図５に示されるように、該第一ＰＣＢ基板５０４は、第二殻体１０２に電気的に接続され、該第一ＰＣＢ基板５０４は、支持座２０１に接続されたピックスイッチ２０１１に電気的に接続されている。該第二殻体１０２が回転してボックス本体を閉鎖する際、該第二殻体１０２により該ピックスイッチ２０１１を引く。該第一ＰＣＢ基板５０４は、チャンバ１０４内の化粧用ツールに対して紫外線殺菌消毒を行うように紫外線ランプ５０１を制御する。該第二殻体１０２が回転してボックス本体を開放する際、該第二殻体１０２により該ピックスイッチ２０１１を戻す。該第一ＰＣＢ基板５０４は、稼働を停止させるように紫外線ランプ５０１を制御する。このように設計することで、消毒ボックスのエネルギー消費を効果的に節約することができる。
【００３６】
本実施形態において、図５に示されるように、該収納溝２０３１内には、複数の係止溝２０３１１が設けられている。該紫外線ランプ５０１のランプ管には、紫外線ランプ５０１の移動を防止する複数の係止部材５０３が嵌合され設けられている。該係止部材５０３は、該係止溝２０３１１に位置決め接続されている。
【００３７】
具体的には、図３及び図５に示されるように、本考案の実施形態において、該支持座２０１の上端面には、第三カバー本体２０４が接続されている。該第三カバー本体２０４に複数の接続支持枠６０２が設けられている。該加熱ユニットは該接続支持枠６０２に接続された複数の発熱体６０１と、該発熱体６０１に電気的に接続された第二ＰＣＢ基板６０３と、を備える。
【００３８】
本実施形態において、図３及び図５に示されるように、該第二カバー本体２０３の縦方向断面は、上に湾曲する円弧形状を呈する。該第三カバー本体２０４は、該第二カバー本体２０３と支持座２０１との間に収納されている。また、第三カバー本体２０４に接続された複数の発熱体は、端から端まで接続支持枠６０２に位置決め接続されている。それによって、発熱体６０１は集中的に加熱しやすい。
【００３９】
具体的には、図３及び図５に示されるように、本考案の実施形態において、該第一換気ユニット７０は、該第三カバー本体２０４の底部に接続された第一換気ファン７０ａと、該第一カバー本体２０２に開設された第一通風孔２０２１と、該第二カバー本体２０３に開設された第二通風孔２０３２と、該第三カバー本体２０４に開設された第三通風孔２０４１と、を備える。該第三通風孔２０４１は、該第三カバー本体２０４の中央部に位置して、且つ該第一換気ファン７０ａに対向する。
【００４０】
本実施形態において、図３及び図５に示されるように、複数の前記発熱体６０１は、端から端まで接続支持枠６０２に位置決め接続されている。該第三通風孔２０４１は、複数の発熱体６０１で囲んで形成した構造の中央に位置する。また、第一換気ファン７０ａの吹出口は該第三通風孔２０４１に対向する。それによって、第一換気ファン７０ａより吸入された空気が速く加熱されやすい。
【００４１】
本実施形態において、該化粧用ツールを洗浄した後に残った水分は、該第二通風孔２０３２より第三カバー本体２０４に落ち、その後、第三カバー本体２０４における加熱部品によりこれらの水分を蒸発させることができる。そのように設計することで、ボックス本体の内部に水が溜まることを防止できる。
【００４２】
本実施形態において、図３及び図５に示されるように、該第一通風孔２０２１は複数であり、且つ第一カバー本体２０２に均一に分布する。該第一換気ファン７０ａは、該第一通風孔２０２１により外界の空気を吸入し、その後、第三通風孔２０４１により加熱部品まで送り込んで加熱した後に、第二カバー本体２０３における第二通風孔２０３２によりチャンバ１０４内に入らせる。それによって、チャンバ１０４内に接続された化粧用ツールに対して乾燥処理を行うことができる。
【００４３】
具体的には、図３及び図５に示されるように、本考案の実施形態において、該第二換気ユニット８０は、該第二管キット４０２の上端部に接続された第二換気ファン８０ａと、該第二管キット４０２の管壁に開設された第四通風孔４０２１と、該殻体ユニット１０の上部に接続された通風管（図に示されてない）と、を備える。
【００４４】
本実施形態において、該第二換気ファン８０ａは、チャンバ１０４内の空気を第四通風孔４０２１により吸出し、その後、殻体ユニット１０の上部に設置された通風管によりチャンバ１０４の外部に排出するためのものである。
【００４５】
上記は本考案の好ましい実施形態に過ぎず、本考案を制限するためのものではない。本考案の精神及び原則内になされたあらゆる変更、等価取替及び改良は、本考案の保護範囲に含まれるはずである。
【図１】
0003212500.tif 000003
【図２】
0003212500.tif 000004
【図３】
0003212500.tif 000005
【図４】
0003212500.tif 000006
【図５】
0003212500.tif 000007